(57)【要約】【課題】シートの強度を維持しつつ、捕集性に優れた清掃用シートを提供する。【解決手段】清掃具２００の平板状のヘッド部２０１に交換可能に装着される清掃用シート１００であって、ヘッド部２０１の底面を覆って清掃面を形成し、ヘッド部２０１の長手縁部に沿って折り曲げられてヘッド部２０１の上面に係止され、縁部に沿って折り曲げられた折曲部Ｓに沿って、シートが厚み方向に圧縮されたエンボス部２０と、圧縮なされていない非エンボス部３０が交互に配されている。【選択図】図１
2019000129.tif 000002
【特許請求の範囲】
【請求項１】
平板状の清掃具に交換可能に装着される清掃用シートにおいて、
前記清掃具の底面を覆って清掃面を形成し、前記清掃具の長手縁部に沿って折り曲げられて前記清掃具の上面に係止され、
前記長手縁部に沿って折り曲げられた折曲部に沿って、シートが厚み方向に圧縮されたエンボス部と、圧縮なされていない非エンボス部が交互に配されていることを特徴とする清掃用シート。
【請求項２】
前記非エンボス部は、前記折曲部に沿って所定間隔ごとに複数配置されていることを特徴とする請求項１に記載の清掃用シート。
【請求項３】
前記非エンボス部の各々は、前記清掃具に装着された状態において、前記清掃具の前記長手縁部に対して開口した凹部を有する形状であることを特徴とする請求項１又は２に記載の清掃用シート。
【請求項４】
前記非エンボス部の各々は、前記清掃具に装着された状態において、前記清掃具の前記長手縁部に対して斜めの方向に延在した形状であることを特徴とする請求項１又は２に記載の清掃用シート。
【請求項５】
前記清掃具の前記長手縁部の一方に対応する前記折曲部に沿って配置された前記非エンボス部と、前記清掃具の前記長手縁部の他方に対応する前記折曲部に沿って配置された前記非エンボス部とは、前記折曲部の延在方向において異なる位置に配されていることを特徴とする請求項１から４のいずれか一項に記載の清掃用シート。
【請求項６】
前記エンボス部は、
シートの表面から突出した第１凸部と、
前記第１凸部の頂部からさらに突出した第２凸部と、
を備えることを特徴とする請求項１から５のいずれか一項に記載の清掃用シート。
【発明の詳細な説明】
【技術分野】
【０００１】
本発明は、清掃用シートに関する。
【背景技術】
【０００２】
従来、例えば床面の清掃等に用いられる清掃用シートにおいては、嵩や厚みの向上、摩擦抵抗の低減、ごみの捕集性の向上等のため、様々なパターンによりシートに凹凸を形成することが行われている。
例えば、特許文献１には、シート繊維にＶ字状の低密度領域を設けることで、凹凸を形成することが記載されている。
【先行技術文献】
【特許文献】
【０００３】
【特許文献１】特許第３５５９５３３号公報
【発明の概要】
【発明が解決しようとする課題】
【０００４】
しかしながら、上記特許文献１では、低密度領域を設けることでシートの強度が落ちるため、清掃時にシートがよれたり破れたりすることで、捕集性が損なわれる場合がある。
【０００５】
本発明の課題は、シートの強度を維持しつつ、捕集性に優れた清掃用シートを提供することを目的とする。
【課題を解決するための手段】
【０００６】
上記課題を解決するために、請求項１に記載の発明は、
平板状の清掃具に交換可能に装着される清掃用シートにおいて、
前記清掃具の底面を覆って清掃面を形成し、前記清掃具の長手縁部に沿って折り曲げられて前記清掃具の上面に係止され、
前記長手縁部に沿って折り曲げられた折曲部に沿って、シートが厚み方向に圧縮されたエンボス部と、圧縮なされていない非エンボス部が交互に配されていることを特徴とする。
本発明によれば、シートの強度を維持しつつ、捕集性に優れた清掃用シートを提供することができる。
【０００７】
また、請求項２に記載の発明は、請求項１に記載の清掃用シートにおいて、
前記非エンボス部は、前記折曲部に沿って所定間隔ごとに複数配置されていることを特徴とする。
本発明によれば、捕集性をより高めることができる。
【０００８】
また、請求項３に記載の発明は、請求項１又は２に記載の清掃用シートにおいて、
前記非エンボス部の各々は、前記清掃具に装着された状態において、前記清掃具の前記長手縁部に対して開口した凹部を有する形状であることを特徴とする。
本発明によれば、捕集性をより高めることができる。
【０００９】
また、請求項４に記載の発明は、請求項１又は２に記載の清掃用シートにおいて、
前記非エンボス部の各々は、前記清掃具に装着された状態において、前記清掃具の前記長手縁部に対して斜めの方向に延在した形状であることを特徴とする。
本発明によれば、捕集性をより高めることができる。
【００１０】
また、請求項５に記載の発明は、請求項１から４のいずれか一項に記載の清掃用シートにおいて、
前記清掃具の前記長手縁部の一方に対応する前記折曲部に沿って配置された前記非エンボス部と、前記清掃具の前記長手縁部の他方に対応する前記折曲部に沿って配置された前記非エンボス部とは、前記折曲部の延在方向において異なる位置に配されていることを特徴とする。
本発明によれば、捕集性をより高めることができる。
【００１１】
また、請求項６に記載の発明は、請求項１から５のいずれか一項に記載の清掃用シートにおいて、
前記エンボス部は、
シートの表面から突出した第１凸部と、
前記第１凸部の頂部からさらに突出した第２凸部と、
を備えることを特徴とする。
本発明によれば、捕集性をより高めることができる。
【発明の効果】
【００１２】
本発明によれば、シートの強度を維持しつつ、捕集性に優れた清掃用シートを提供することができる。
【図面の簡単な説明】
【００１３】
【図１】本実施の形態の清掃用シートの使用時の状態を示す図である。
【図２】清掃用シートの一例を示す平面図である。
【図３】図２のIII-III線における断面図である
【図４】図２におけるＡ部分の拡大図である。
【図５】図４のV-V線における断面図である。
【図６】非エンボス部の変形例を示す図である。
【図７】非エンボス部の変形例を示す図である。
【発明を実施するための形態】
【００１４】
以下、本発明の実施の形態である清掃用シート１００の具体的な態様について、図１から図５に基づいて説明する。ただし、本発明の技術的範囲は、図示例に限定されない。
なお、便宜的に、図１から図５に示したように、Ｘ方向、Ｙ方向及びＺ方向並びに前後、左右及び上下を定めて説明する。
【００１５】
（実施の形態の構成）
図１は、本実施の形態の清掃用シート１００の使用時の状態を示す図である。
図１に示すように、清掃用シート１００は、例えば、矩形の平板状のヘッド部２０１と、ヘッド部２０１の上面に取り付けられた柄部２０２と、を備える清掃具２００に、交換可能に装着されるドライシートである。
清掃用シート１００は、清掃具２００のヘッド部２０１の底面を覆って清掃面を形成し、清掃具のヘッド部２０１の長手縁部２０１ａに沿って折り曲げられてヘッド部２０１の上面に係止され、装着された状態となる。
なお、長手縁部２０１ａとは、ヘッド部２０１の長手方向に沿った縁部を指す。即ち、矩形のヘッド部２０１の４つの縁部のうちの、長い方の２つの縁部を指す。
【００１６】
図２は、本実施の形態の清掃用シート１００の一例を示す平面図である。
図２に示すように、清掃用シート１００は、Ｘ方向に長尺な矩形状であって、例えば、Ｘ方向（長手方向）において２５０ｍｍから３００ｍｍ、好ましくは２６０ｍｍから２９０ｍｍ、Ｙ方向（短手方向）において１８０ｍｍから２３０ｍｍ、好ましくは２００ｍｍから２１０ｍｍに形成されている。
【００１７】
図３は、図２のIII-III線における断面図である。
清掃用シート１００は、複数枚の原紙が積層されたものであり、例えば、図２に示すように、清掃用シート１００の表面層を形成する外層１１，１１と、外層１１，１１に挟まれた内層１２と、を備えた層構造を有している。
【００１８】
外層１１は、主に疎水性繊維により形成されている。疎水性繊維としては、ポリエチレンテレフタレート、ポリプロピレン、ポリエチレンなどを主成分とする化学繊維が適用される。
また、外層１１は、ポリエチレンテレフタレート繊維の配合率は８０％以上であることが好ましく、その繊維径は、３．３ｄｔｅｘ以上であることが好ましい。繊維径を３．３ｄｔｅｘ以上とすることで、繊維の剛性（クッション性）が向上し、軽い力でも操作できるようになる。
【００１９】
内層１２は、例えば、ポリプロピレンスパンボンド等の不織布を用いることができるが、外層１１と同様の疎水性繊維を用いても良いし、例えば、パルプ、綿、麻、レーヨン、アセテートなどの親水性繊維が適宜含有されていても良い。
【００２０】
なお、上記した清掃用シート１００のシート構造はあくまで一例であって、層の数や、各層に含有され得る繊維などは、適宜変更が可能である。
【００２１】
図２に戻って、清掃用シート１００において、清掃具２００のヘッド部２０１の長手縁部２０１ａに沿って折り曲げられる部分を折曲部Ｓと称する。
この折曲部Ｓは、規定の清掃具２００のヘッド部２０１に合わせて、予めおおよその位置が設定されている。即ち、清掃用シート１００のＹ方向の所定位置において、Ｘ方向に延在する２列の折曲部Ｓが設定されている。なお、折曲部Ｓは、使用者が認識できるように、例えば、清掃用シート１００に予め折曲部Ｓに対応する直線を印刷しても良いし、清掃用シート１００に折曲部Ｓに対応する折れ線を形成しても良い。
そして、清掃用シート１００の折曲部Ｓに沿って、非エンボス部３０がＸ方向に所定間隔ごとに複数配置され、清掃用シート１００の非エンボス部３０が配された領域を除く全体に亘って、エンボス部２０が配置されている。
これにより、清掃用シート１００において清掃具２００のヘッド部２０１の長手縁部２０１ａに対応する位置には、エンボス部２０と、非エンボス部３０が交互に配されることとなる。
【００２２】
（エンボス部）
エンボス部２０は、清掃用シート１００において、シートが厚み方向に圧縮された部分である。
かかるエンボス部２０は、例えば、温度８０〜１５０℃、エンボス圧０．２〜１．０ＭＰａの条件による熱エンボスにて形成することができる。
【００２３】
図４は、図２のＡ領域の拡大図である。また、図５は、図４のV-V線における断面図である。
図４及び図５に示すように、エンボス部２０には、上側（清掃用シート１００の一面側）に凸型となる凸エンボス２１と、下側（清掃用シート１００の他面側）に凸型（即ち、上側に凹型となる）凹エンボス２２と、が形成されている。
凸エンボス２１と、凹エンボス２２とは、Ｘ方向、Ｙ方向のいずれにおいても交互に並ぶように互い違いに配置されている。このように、規則的に凸エンボス２１と凹エンボス２２が交互に配置されることにより、ごみの捕集性を向上させることができる。
【００２４】
エンボス部２０において、互い違いに配置された、凸エンボス２１と凹エンボス２２との間には、中間部２３が形成されている。中間部２３は、凸エンボス２１及び凹エンボス２２が形成されていない部分であり、このため、中間部２３は、Ｚ方向において、凸エンボス２１よりも低く、凹エンボス２２よりも高い位置となる。
【００２５】
なお、上記のようなエンボスパターンとすることは必須ではなく、ごみの捕集性を向上するという効果は弱まるものの、凸エンボス２１又は凹エンボス２２が一列に並んでいるエンボスパターンや、不規則に並んでいるエンボスパターンとしてもよい。また、例えば、凸エンボス２１又は凹エンボス２２のいずれかのみが備えられるようにすることも可能である。
【００２６】
（凸エンボス）
凸エンボス２１は、図４に示すように、平面視において、Ｘ方向に幅が狭く、Ｙ方向中央部にくびれ部を有する、所謂ひょうたん形に形成されている。なお、ごみの捕集性の観点からは上記の形状が好ましいが、凸エンボス２１の形状としてはこれに限られず、例えば、円形、楕円形、多角形等種々の形状に形成することが可能である。また、各形状を組み合わせたものとしてもよい。
凸エンボス２１は、Ｘ方向において２ｍｍから５ｍｍ、好ましくは３ｍｍから４ｍｍであり、Ｙ方向５ｍｍから１０ｍｍ、好ましくは６ｍｍから８ｍｍであり、Ｚ方向において（中間部２３からの高さ）０．５ｍｍから２ｍｍ、好ましくは０．７ｍｍから１．５ｍｍに形成される。
【００２７】
また、凸エンボス２１は、図５に示すように、断面視において、上側に向かって段階的に凸となる形状に形成されている。即ち、断面視において、シートの表面（上面）から突出した第１凸部２１ａの頂部に、さらに上側に突出した第２凸部２１ｂが形成されている。かかる構成により、清掃用シート１００のクッション性を向上させることができる。
【００２８】
（凹エンボス）
凹エンボス２２は、図４に示すように、平面視において凸エンボス２１と略同一の形状となる所謂ひょうたん形に形成されている。なお、凹エンボス２２の形状としてはこれに限られず、種々の形状に形成することが可能であり、凸エンボス２１と異なる形状としてもよい。
また、凹エンボス２２は、図５に示すように、断面視において、凸エンボス２１と上下逆さまな、下側に向かって段階的に凹となる形状に形成されている。即ち、断面視において、シートの表面（下面）から突出した第１凹部２２ａの頂部に、さらに下側に突出した第２凹部２２ｂが形成されている。かかる構成により、清掃用シート１００のクッション性を向上させることができる。
【００２９】
（非エンボス部）
非エンボス部３０は、清掃用シート１００の、シートが厚み方向に圧縮なされておらず、起毛を有している部分であり、清掃用シート１００の列状の折曲部Ｓに沿って複数配置されている。
かかる非エンボス部３０は、上記エンボス部２０を形成するエンボスロールを、非エンボス部３０の形状を除くようにデザインすることで、形成することができる。
なお、非エンボス部３０は、全く圧縮がなされていない場合に限られず、起毛が残存する程度に、エンボス部２０の圧縮がなされている部分と比較して軽度な圧縮がなされていてもよい。
非エンボス部３０の大きさとしては、Ｘ方向において４０ｍｍから７０ｍｍ、好ましくは５０ｍｍから６０ｍｍ、Ｙ方向において１５ｍｍから７０ｍｍ、好ましくは２０ｍｍから５０ｍｍに形成される。
このように設定することで、製造において、清掃用シート１００に折曲部Ｓに対応する折れ線を形成する場合に、装置による折れ線の蛇行が発生した場合にも、適切な位置に折れ線を形成することができる。
【００３０】
（凹部）
非エンボス部３０の各々は、清掃用シート１００が清掃具２００に装着された状態において、ヘッド部２０１の長手縁部２０１ａに対して開口した凹部３１を有する形状であることが好ましい。
具体的には、例えば、図２に示すように、非エンボス部３０は、右方向又は左方向、即ち、矩形状の清掃用シート１００の中央部から長辺に向かい開口した平面視Ｖ字状に形成することができる。即ち、平面視Ｖ字状の非エンボス部３０であれば、Ｖ字状の凹部３１を有することとなる。
これによって、清掃用シート１００をＹ方向、即ち、清掃用シート１００の短辺と平行な方向に動かして清掃を行った場合に、凹部３１にごみが溜まりやすく、ごみの捕集性をより高めることができる。
【００３１】
また、非エンボス部３０は、図２に示すように、列ごとにＸ方向の位置がずれ、互い違いとなるように配置されている。即ち、ヘッド部２０１の長手縁部２０１ａの一方に対応する折曲部Ｓに沿った非エンボス部３０と、ヘッド部２０１の長手縁部２０１ａの他方に対応する折曲部Ｓに沿った非エンボス部３０とは、折曲部Ｓの延在方向において、異なる位置に配されている。
これによって、清掃用シート１００をＹ方向、即ち、清掃用シート１００の短辺と平行な方向に動かして清掃を行った場合に、捕集性を互いに補完し合うこととなり、床面を隙間なく非エンボス部３０が通過するので、ごみの捕集性を高めることができる。
【００３２】
（清掃用シートの使用方法）
次に、清掃用シート１００の使用方法について説明する。
使用に際し、清掃用シート１００は、清掃具２００の矩形の平板状のヘッド部２０１に装着される。
具体的には、清掃用シート１００のＸ方向に延在する２列の折曲部Ｓに、ヘッド部２０１の長手縁部２０１ａを合わせるようにして、清掃用シート１００上にヘッド部２０１が載置される。次いで、清掃用シート１００はヘッド部２０１の長手縁部２０１ａに沿って折り曲げられ、折り曲げられたシート両側部はヘッド部２０１の上面に係止される。
これにより、例えば、図１に示すように、清掃用シート１００のＹ方向の中央部は、清掃具２００のヘッド部２０１の底面を覆って清掃面を形成し、清掃用シート１００においてヘッド部２０１の長手縁部２０１ａに対応する位置には、即ち、折曲部Ｓに沿って、エンボス部２０と非エンボス部３０が交互に配される状態となる。
【００３３】
この状態において、主として清掃用シート１００のＹ方向、すなわち短手方向にこれを動かして清掃を行うと、エンボス部２０により、砂塵やハウスダストといった微細ダストを掻き取ることができ、非エンボス部３０の起毛により、毛髪や繊維埃といった粗大ダストを絡め取ることができる。
より具体的には、非エンボス部３０の凹部３１に粗大ダストが溜まり、非エンボス部３０の間のエンボス部２０及び清掃面に配されたエンボス部２０により、微細ダストを掻き取ることができる。
また、清掃に応じて、エンボス部２０は、第２凸部２１ｂ、第１凸部２１ａ（或いは、第２凹部２２ｂ、第１凹部２２ａ）と徐々に潰れ、清掃面の面積が徐々に広がっていくため、長時間の使用が可能となる。
また、清掃用シート１００においては、エンボス部２０及び非エンボス部３０を形成するにあたって、各部で清掃用シート１００の目付を変えることはないため、清掃用シート１００の強度が損なわれることがなく、清掃中に、清掃用シート１００がよれたり、破れたりすることがない。
【００３４】
（実施形態の効果）
以上のように、本実施の形態の清掃用シート１００は、清掃具２００の平板状のヘッド部２０１に交換可能に装着される清掃用シート１００であって、ヘッド部２０１の底面を覆って清掃面を形成し、ヘッド部２０１の長手縁部２０１ａに沿って折り曲げられてヘッド部２０１の上面に係止され、長手縁部２０１ａに沿って折り曲げられた折曲部Ｓに沿って、シートが厚み方向に圧縮されたエンボス部２０と、圧縮なされていない非エンボス部３０が交互に配されている。
このため、エンボス部２０及び非エンボス部３０の目付は同一であるので、清掃用シート１００の強度が損なわれることがなく、各部がそれぞれ微細ダストと粗大ダストを捕集することとなるので、ごみ捕集性を良好にすることができる。
【００３５】
また、本実施の形態によれば、非エンボス部３０は、折曲部Ｓに沿って所定間隔ごとに複数配置されている。
このため、ヘッド部２０１の長手縁部２０１ａに沿って、所定間隔ごとに粗大ダストを捕集する領域が形成されることとなるので、捕集性をより高めることができる。
【００３６】
また、本実施の形態によれば、非エンボス部３０の各々は、ヘッド部２０１に装着された状態において、ヘッド部２０１の長手縁部２０１ａに対して開口した凹部３１を有する形状である。
このため、凹部３１にごみが溜まりやすくなるので、捕集性をより高めることができる。
【００３７】
また、本実施の形態によれば、ヘッド部２０１の長手縁部２０１ａの一方に対応する折曲部Ｓに沿って配置された非エンボス部３０と、ヘッド部２０１の長手縁部２０１ａの他方に対応する折曲部Ｓに沿って配置された非エンボス部３０とは、折曲部Ｓの延在方向において、異なる位置に配されている。
このため、ヘッド部２０１を折曲部Ｓの延在方向と直交する方向に動かした場合に、ヘッド部２０１の長手縁部２０１ａの一方に対応する折曲部Ｓに配置された非エンボス部３０と、ヘッド部２０１の長手縁部２０１ａの他方に対応する折曲部Ｓに沿って配置された非エンボス部３０とが捕集性を互いに補完し合うこととなり、捕集性を高めることができる。
【００３８】
また、本実施の形態によれば、エンボス部２０は、シートの表面から突出した第１凸部２１ａ（第１凹部２２ａ）と、第１凸部２１ａ（第１凹部２２ａ）の頂部からさらに突出した第２凸部２１ｂ（第２凹部２２ｂ）と、を備える。
このため、エンボス部２０が徐々に潰れ、清掃面の面積が徐々に広がっていくため、長時間、捕集性を維持することが可能となる。
【００３９】
なお、本発明は、上記実施の形態に限定されるものではなく、具体的な構造について適宜変更可能であるのは勿論である。
【００４０】
例えば、上記実施の形態においては、Ｖ字状の非エンボス部３０を例示して説明したが、ヘッド部２０１に装着された状態において、ヘッド部２０１の長手縁部２０１ａに対して開口した凹部３１を有する形状であれば、非エンボス部３０の形状はこれに限定されない。
例えば、図６（ａ）（ｂ）に示すように、Ｕ字状の凹部３１を有する、Ｕ字状の非エンボス部３０でも良い。
また、図６（ｃ）に示すように、略円形の非エンボス部３０の一部に、Ｖ字状の凹部３１を形成した形状であっても良いし、図６（ｄ）に示すように、芒星形の非エンボス部３０の一部を凹部３１として機能させても良い。
【００４１】
また、非エンボス部３０の形状としては、上述したような、ヘッド部２０１の長手縁部２０１ａに対して開口した凹部３１を有する形状であることが捕集性の観点から最も好ましいが、図７に示すように、ヘッド部２０１の長手縁部２０１ａに対して斜めの方向に延在した形状であれば良い。
かかる形状であれば、ヘッド部２０１の長手縁部２０１ａに対して、非エンボス部３０が斜めに配されることとなるため、ごみを捕集することが可能である。
【００４２】
また、上記実施の形態においては、清掃用シート１００のＹ方向にこれを動かして清掃を行う場合を例示して説明したが、清掃用シート１００の長辺と平行な方向に動かして清掃を行うことを念頭に、非エンボス部３０を、矩形状の清掃用シート１００の中央部から短辺に向かって開口した形状となるように形成してもよい。
この場合、清掃用シート１００はヘッド部２０１の短手縁部（ヘッド部２０１の短手方向に沿った縁部）に沿って折り曲げられ、折り曲げられたシート両端部がヘッド部２０１の上面に係止される。
【００４３】
また、上記実施の形態においては、清掃用シート１００をドライシートとして説明したが、薬液を付与したウエットシートとしても良い。この場合、内層１２に、例えば、パルプ等の保水層を備えることが好ましい。
【実施例】
【００４４】
次に、本発明の実施例及び比較例について説明する。以下、実施例により本発明を具体的に説明するが、本発明はこれらに限定されるものではない。
【００４５】
＜サンプル作製＞
（実施例１）
外層として、ポリエチレンテレフタレートが８０％含有され、バインダー繊維としてポリプロピレンとポリエチレンの芯鞘繊維が２０％含有されている、疎水性繊維１００％で構成された不織布を準備した。なお、ポリエチレンテレフタレート繊維は、繊度が３．３ｄｔｅｘ、バインダー繊維は、繊度１．７ｄｔｅｘのものを用いた。
また、内層として、ポリプロピレン１００％のスパンボンド不織布を準備した。
上記した外層と内層とを水流交絡法により交絡させ、三層構造のスパンレース不織布である積層シートを作製した。
この積層シートに、温度１０５℃、エンボス圧０．６ＭＰａにてエンボス加工を行い、図２に示したような、エンボス部及び非エンボス部を備えた矩形状のドライシートを作製し、実施例１の清掃用シートとした。
この清掃用シートの目付は１００ｇｓｍであり、長辺が３００ｍｍ、短辺が２００ｍｍの寸法であった。
また、エンボス部は、ひょうたん形の凸エンボスと凹エンボスが、長辺方向及び短辺方向に交互に配されたものを用い、凸エンボス及び凹エンボスのサイズはいずれも、長辺が８ｍｍ、短辺が３ｍｍ、突出方向の高さが０．８ｍｍであった。
また、非エンボス部は、清掃用シートの中央部から長辺に向かい開口した平面視Ｖ字状であり、非エンボス部の長辺方向の全長は４５ｍｍで、短辺方向の全長は３５ｍｍであった。また、非エンボス部の凹部により形成された空間の、長辺方向の最も長い部分の長さは、２０ｍｍであった。また、長辺方向に隣接する非エンボス部の間の距離は、１０ｍｍであった。
【００４６】
（比較例１）
非エンボス部の形状を変更した以外は、実施例１と同様の積層シートに対して、同一条件でエンボス加工を行い、エンボス部及び非エンボス部を備えたドライシートを作製し、比較例１の清掃用シートとした。
非エンボス部の形状は、長辺方向及び短辺方向の長さが１０ｍｍの正方形状とした。
また、長辺方向に隣接する非エンボス部の間の距離は、１０ｍｍと２０ｍｍが交互に配されるように設定した。
【００４７】
（比較例２）
実施例１と同様の積層シートの全面に対して、実施例１と同一条件でエンボス加工を施したドライシートを作製し、比較例２の清掃用シートとした。
【００４８】
（比較例３）
実施例１と同様の積層シートであって、エンボス加工を施さないドライシートを作製し、比較例３の清掃用シートとした。
【００４９】
＜折り目の評価＞
上記実施例１、比較例１の清掃用シートに対して、折曲部の目安となる折り目をつける折り加工を行った場合、非エンボス部の列からずれることなく折り目がついたか否かを目視により判断し、以下の基準により評価した。その結果は、表Iに示した。
◎：ずれがない
○：ほぼずれがない
△：多少ずれがある
×：ずれがある
【００５０】
＜装着性の評価＞
上記実施例１、比較例１の清掃用シートを、図１に示したような、清掃具に装着した際、清掃具の縁部と非エンボス部の列がずれることなくついたか否か（縁部に沿って折り曲げられた折曲部に沿って、エンボス部と、非エンボス部が交互に配されているか否か）について目視により判断し、以下の基準により評価した。その結果は、表Iに示した。
◎：ずれがない
○：ほぼずれがない
△：多少ずれがある
×：ずれがある
【００５１】
＜捕集性の評価＞
次に、上記実施例１、比較例１〜比較例３の清掃用シートを、図１に示したような、清掃具に装着した状態として、清掃用シートの短手方向にこれを動かして清掃を行い、ごみの捕集性を評価した。
【００５２】
ここで使用した掃除具は、図１に示したような、清掃用シートが取り付けられるヘッド部と、柄部と、を備えたものであった。
ヘッド部は、天面部と底面部とが貼付されて構成されており、天面部は、ＡＢＳ樹脂（アクリロニトリル、ブタジエン、スチレン共重合合成樹脂）製の、長辺２４０ｍｍ、短辺９５ｍｍの長方形状であって、底面部は、硬度７０°のＴＰＥ（熱可塑性エラストマー）製の、長辺２４８ｍｍ、短辺９８ｍｍの長方形状であった。
また、柄部の長さは、ヘッド部との連結部からハンドルキャップ先端までの長さで、２１５ｍｍであった。
【００５３】
また、上記掃除具のヘッド部の長手方向の縁部に沿って折り曲げて、実施例１の清掃用シートを装着した状態において、折曲部上には、非エンボス部が１０ｍｍ、エンボス部が１０〜２０ｍｍとなる間隔で、交互に配置されていた。
また、実施例１のシートと同様にして、上記掃除具のヘッド部に比較例１の清掃用シートを装着した状態において、折曲部上には、非エンボス部が１０ｍｍ、エンボス部が１０〜２０ｍｍとなる間隔で、配置されていた。
なお、比較例２の清掃用シートでは、折曲部上にはエンボス部のみ配置されており、比較例３の清掃用シートでは、折曲部上には非エンボス部のみ配置されていた。
【００５４】
評価の基準は、以下のとおりである。その結果は、表Iに示した。
◎：満足感が得られた
○：多少の塵など残るものの、ほぼ満足感が得られた
△：ごみが残ってしまい、不満がのこった
×：ごみをうまく捕集できず、全く満足感を得られなかった
【００５５】
＜総合評価＞
上記３点の評価に基づき、以下の基準により総合評価を行った。その結果は、表Iに示した。
○：◎又は○しかない
△：１つでも△がある
×：１つでも×がある
【００５６】
【表１】
2019000129.tif 000003
【００５７】
表Iの結果から、実施例１のシートにおいては、治具への装着を行いやすく、ごみの捕集性も良好であることがわかる。
また、比較例１のシートは、比較例２、３のサンプルよりは折曲部でのごみの捕集性が良いものの、非エンボス部の短辺方向の全長の長さが短いため、治具への装着の際にずれてしまい、折曲部において、非エンボス部とエンボス部が交互に配置されない場合が発生するおそれがある。
また、比較例２のシートのように、エンボス部のみの清掃用シートでは、折曲部での捕集性を高めることができないことがわかる。
また、比較例３のシートのように、非エンボス部のみの清掃用シートでは、折曲部の捕集性が良好でないことがわかる。これは、ヘッド中央部の捕集性が悪いことが影響し、端にゴミがたまってしまうためと考えられる。
【００５８】
なお、上記実施例１、比較例１〜比較例３のドライシートに含浸率２７０％となるように薬液を付与してウエットシートとし、同一の評価を行ったところ、ウエットシートの場合であっても同様の結果であった。
【符号の説明】
【００５９】
１００  清掃用シート
１１  外層
１２  内層
２０  エンボス部
２１  凸エンボス
２１ａ  第１凸部
２１ｂ  第２凸部
２２  凹エンボス
２２ａ  第１凹部
２２ｂ  第２凹部
２３  中間部
３０  非エンボス部
３１  凹部
Ｓ  折曲部
２００  清掃具
２０１  ヘッド部
２０１ａ  長手縁部
２０２  柄部
【図１】
2019000129.tif 000004
【図２】
2019000129.tif 000005
【図３】
2019000129.tif 000006
【図４】
2019000129.tif 000007
【図５】
2019000129.tif 000008
【図６】
2019000129.tif 000009
【図７】
2019000129.tif 000010